(57)【要約】【課題】流し台の前面に設けたアシストバー（もたれバーや手すりバー）の下方のスペースを、タオル等の物品を掛けるスペースとして有効活用する流し台を実現する。【解決手段】流し台１は、キャビネット２の前面部に、使用者が身体を凭れさせることが可能なアシストバー３を備えており、アシストバー３の下方に所定の間隔を隔てて物品吊り下げバー４を備え物品吊り下げバー４の最前面は、アシストバー３の最前面よりキャビネット２側に位置している。物品吊り下げバー４は２本設けた構成としてもよく、その場合は、後方の物品吊り下げバー４は、前方の物品吊り下げバー４より上方に位置させる。【選択図】図１
2008284184.tif 000002
【特許請求の範囲】
【請求項１】
キャビネットの前面部に、使用者が身体を凭れさせることが可能なアシストバーを備えた流し台であって、アシストバーの下方に所定の間隔を隔てて物品吊り下げバーを備えたことを特徴とする流し台。
【請求項２】
請求項１記載の流し台であって、物品吊り下げバーの最前面は、アシストバーの最前面よりキャビネット側に位置していることを特徴とする流し台。
【請求項３】
請求項１又は２記載の流し台であって、物品吊り下げバーは前方の物品吊り下げバーと後方の物品吊り下げバーの２本設けられており、後方の物品吊り下げバーは、前方の物品吊り下げバーより上方に位置していることを特徴とする流し台。
【発明の詳細な説明】
【技術分野】
【０００１】
本発明は、流し台に関し、特に、キャビネットの前面部に設けたアシストバーの下方に物品吊り下げバーを設けた流し台に関する。
【背景技術】
【０００２】
従来、流し台の前面に使用者が凭れかけるバーを取り付けた構成は知られている。例えば、流し台の幕板にサイドカバーを備えた収納兼サポート用部材を設けたものが知られている（特許文献１参照）。また、流し台の幕板にもたれバーを設け、もたれバーにスイッチ装置を設けたものが知られている（特許文献２参照）。
【０００３】
さらに、流し台において、幕板に手すりバーを設けたものが知られている（特許文献３参照）。また、カウンターの前面にタオル掛けを埋め込み、出し入れ自在に収納したものが知られている（特許文献４参照）。
【特許文献１】特開２００７−０００１６２号公報
【特許文献２】特開２００２−１５３３３９号公報
【特許文献３】特開平０８−０００３７５号公報
【特許文献４】実開平０３−１２９３３２号公報
【発明の開示】
【発明が解決しようとする課題】
【０００４】
前面にもたれバーや手すりバーを設けた流し台では、タオルを掛ける手段がなく、もたれバーや手すりバーにタオルを掛けたりすることもあるが、清潔上も好ましくない。また、流し台の前面にもたれバーや手すりバーを設けた構成では、その下方に役に立たないスペース（デッドスペース）が生じる。
【０００５】
本発明は、上記従来の問題を解決することを目的とするものであり、流し台の前面に設けたアシストバー（もたれバーや手すりバー）の下方のスペースを、タオル等の物品を掛けるスペースとして有効活用可能な流し台を実現すること課題とする。
【課題を解決するための手段】
【０００６】
本発明は上記課題を解決するために、キャビネットの前面部に、使用者が身体を凭れさせることが可能なアシストバーを備えた流し台であって、アシストバーの下方に所定の間隔を隔てて物品吊り下げバーを備えたことを特徴とする流し台を提供する。
【０００７】
上記物品吊り下げバーの最前面は、アシストバーの最前面よりキャビネット側に位置していることが好ましい。
【０００８】
上記物品吊り下げバーは前方の物品吊り下げバーと後方の物品吊り下げバーの２本設けられており、後方の物品吊り下げバーは、前方の物品吊り下げバーより上方に位置していることが好ましい。
【発明の効果】
【０００９】
本発明は、キャビネット前面部に取り付けたアシストバーの下方に物品吊り下げバーを設けたので、簡単な構成で、アシストバーの下方のスペースを物品の吊り下げスペースとして有効活用できる。
【発明を実施するための最良の形態】
【００１０】
本発明に係る流し台を実施するための最良の形態を実施例に基づき図面を参照して、以下説明する。
【実施例１】
【００１１】
本発明の実施例１を図１、２において説明する。本発明は、流し台１において、キャビネット２の前面部に、使用者が身体を凭れさせることが可能なアシストバー３を備えており、アシストバー３の下方に所定の間隔を隔てて物品吊り下げバー４を設けたことを特徴とする。
【００１２】
図１（ａ）は、流し台１の要部の側面図を示しており、キャビネット２の上にワークトップ５が載置されており、キャビネット２の前面に幕板６が取り付けられた構成を示している。幕板６の前面には、図１（ａ）、（ｂ）に示すように、左右一対のサイドカバー７が取り付けられている。
【００１３】
サイドカバー７を幕板６に固定する構成は、いろいろな態様があるが、本実施例では、図１（ａ）、図２（ａ）に示すように、サイドカバー７に内側に折り返し取付部８を形成しておき、この取付部８を幕板６にネジ９で固定する構成としている。折り返し取付部８を設けることなく、図１（ｃ）に示すように、幕板６の端壁１０を直接、ネジ９で固定する構成としてもよい。
【００１４】
左右一対のサイドカバー７の間にアシストバー３が装着される。サイドカバー７へのアシストバー３の取り付け構造を、図１（ｂ）において説明する。アシストバー３を装着するサイドカバー７の内側面に、アシストバー３の端部を嵌入する凹部１１が形成されている。アシストバー３は、その端部が凹部１１内に嵌合され、サイドカバー７の外側面側からネジ１３でサイドカバー７に固定される。
【００１５】
この発明の流し台１では、アシストバー３の下方であって、左右一対のサイドカバー７の間に、図１（ａ）、（ｂ）及び図２（ａ）に示すように、所定の間隔を隔てて物品吊り下げバー４が挟持されて装着されている。物品吊り下げバー４は、金属、木、樹脂等で形成された棒又はパイプ等が使用される。例えば、アルミニウム製のパイプ表面に樹脂膜を塗布した部材等が使用される。
【００１６】
サイドカバー７への物品吊り下げバー４の取り付け構造を、図１（ｂ）に示す。サイドカバー７の内側面に、物品吊り下げバー４の端部を嵌入する凹部１２が形成されている。物品吊り下げバー４は、その端部が凹部１２内に嵌入され、アシストバー３がサイドカバー７にネジ１３で固定される際に、左右一対のサイドカバー７間に挟持される。
【００１７】
物品吊り下げバー４の最前面４’は、アシストバー３の最前面３’よりキャビネット２側の位置に取り付けられている。即ち、図１（ａ）に示すように、サイドカバー７の側方から見て、物品吊り下げバー４の取り付けの取り付け位置は、サイドカバー７の前面より後方の位置（内側の位置）である。
【００１８】
このような構成にすることで、使用者がアシストバー３に凭れていても、物品吊り下げバー４自体、又は物品吊り下げバー４に吊り下げられる物品（例．タオル、炊事用手袋等）が、使用者に接触しにくく邪魔にならず、又、衛生的でもある。
【００１９】
そして、アシストバー３と物品吊り下げバー４の所定の間隔ｄは、物品吊り下げバー４に吊り下げるいろいろな物品を想定して設計されるべきである。例えば、タオル１４を掛けて使用するような場合（図２（ａ）参照）は、タオル１４が簡単に挿通できる２０〜４０ｍｍ程度にするとよい。
【００２０】
以上の構成から成る流し台１では、幕板６が前方に張り出すように装着されたアシストバー３の下方に物品吊り下げバー４を設けたので、アシストバー３の下方のスペースを有効に活用することができる。
【００２１】
例えば、図２（ａ）は、物品吊り下げバー４にタオル１４を掛けた使用例を示す。また、図２（ｂ）は、物品吊り下げバー４にフック１５を付けて、このフック１５に、例えば、袋１６や炊事用手袋１７等の物品を引っ掛けるようにして利用した使用例を示す。
【実施例２】
【００２２】
図３（ａ）、（ｂ）は、本発明の実施例２の流し台１８を示す。この実施例２の流し台１８は、実施例１とほぼ同じ構成であり、共通の構成については説明を省略する。実施例２の流し台１８は、アシストバー３の下方に、２本の物品吊り下げバー１９、２０を設けた構成をさらに特徴とする。
【００２３】
この実施例２については、前方の物品吊り下げバー１９の最前面１９’を、アシストバー３の最前面３’よりキャビネット２側の位置に取り付けている。また、後方の物品吊り下げバー２０は、前方の物品吊り下げバー１９より若干上方に設けることで、後方に吊り下げている物品（例．タオル等）も見やすくしている。
【実施例３】
【００２４】
図４は、本発明の実施例３の流し台２１を示す。この実施例３の流し台２１は、実施例１とほぼ同じ構成であるが、実施例１と異なり特徴的な構成は、流し台２１の幕板２２と左右のサイドカバー２３が一体となって形成されており、左右のサイドカバー２３の間に物品吊り下げバー４が挟持されて装着されている構成である。アシストバー３及び物品吊り下げバー４を装着の際に、左右のサイドカバー２３は若干、押し広げられるように弾力性を持たせておく。
【００２５】
この流し台２１では、実施例１と同様で図４（ｂ）に示すように、アシストバー３は、その端部がサイドカバー２３内側面に形成された凹部２４に嵌入されて、外側からネジ止めされて固定されている。また、物品吊り下げバー４は、その端部がサイドカバー２３内側面に形成された凹部２５に嵌入されて取り付けられている。
【実施例４】
【００２６】
図５は、本発明の実施例４の流し台２６を示す。前記特許文献１には、シンクの前方のスペースに、収納兼サポート用幕板を配設した流し台が記載されている。この実施例４は、特許文献１記載の発明と同様に収納兼サポート用幕板を備えた流し台を前提とする構成である。
【００２７】
即ち、この実施例４の流し台２６は、図５（ａ）に斜視図で示すように、収納兼サポート用幕板２８が流し台１の前側に装着されている。収納兼サポート用幕板２８は、図５（ｂ）に斜視図を示すような収納兼サポート用部材２９を備えている。収納兼サポート用部材２９は、その一部にアシストバー３０を備えており、カバー３１が被嵌される。この収納兼サポート用部材２９は、図５（ｃ）に示すような固定片３２によって、キャビネット３３に取り付けられている。
【００２８】
収納兼サポート用部材２９の左右両側に左右のサイドカバー３４が嵌着されて取り付けられる。この左右のサイドカバー３４の間に、物品吊り下げバー３５が装着される。物品吊り下げバー３５を左右のサイドカバー３４に装着する構成は、実施例１と同様であり、サイドカバー３４の内側面に凹部３６が形成され、この凹部３６に物品吊り下げバー３５の端部を嵌入するものである。なお、３７は収納兼サポート用幕板２８の棚部３８に収納されている物品を示している。
【００２９】
以上、本発明に係る流し台を実施するための最良の形態を実施例に基づいて説明したが、本発明はこのような実施例に限定されるものではなく、特許請求の範囲に記載された技術的事項の範囲内でいろいろな実施例があることは言うまでもない。
【産業上の利用可能性】
【００３０】
本発明に係る流し台のアシストバー及び物品吊り下げバーは、流し台に限らず、作業用流し台１、洗面台等にも利用可能であり、これらも本願の権利範囲に包含される。
【図面の簡単な説明】
【００３１】
【図１】本発明の実施例１の構成を説明する図であり、（ａ）は流し台の要部の側面図（（ｂ）において、サイドカバーの右側方から見た図）であり、（ｂ）は（ａ）のＡ−Ａ断面図である。（ｃ）は、サイドカバーの別の取り付け構造を説明する図であり、サイドカバーの一部破断図を示す図である。
【図２】本発明の実施例１の使用例を説明する図であり、（ａ）は物品吊り下げバーにタオルを掛けた様子を示し、（ｂ）は物品吊り下げバーにフックを掛けて、これに袋や炊事用手袋等の物品を掛けた様子を示す。
【図３】本発明の実施例２の構成を説明する図であり、（ａ）は流し台の要部側面図であり、（ｂ）は流し台の要部正面図である。
【図４】本発明の実施例３の構成を説明する図であり、（ａ）は流し台の斜視図であり、（ｂ）は（ａ）のＡ−Ａ断面図である。
【図５】本発明の実施例４の構成を説明する図であり、（ａ）は流し台の斜視図であり、（ｂ）は収納兼サポート用部材の斜視図であり、（ｃ）は（ａ）のＡ−Ａ断面図である。
【符号の説明】
【００３２】
１、１８、２１、２６  流し台                                     
２、３３  キャビネット                               
３、３０  アシストバー                               
４、１９、２０、３５  物品吊り下げバー                           
５  ワークトップ                               
６、２２  幕板                                       
７、２３、３４  サイドカバー                               
８  折り返し取付部                             
９  ネジ                                       
１０  幕板の端壁                               
１１、１２、２４、２５  サイドカバーの凹部                 
１３  ネジ                                     
１４  タオル                                   
１５  フック                                   
１６  袋                                       
１７  炊事用手袋                                   
ｄ  アシストバーと物品吊り下げバーの間隔        
４、２５、３６  サイドカバーの内側面に形成された凹部     
２７  シンク                       
２８  収納兼サポート用幕板          
２９  収納兼サポート用部材
３１  カバー
３２  固定片
【図１】
2008284184.tif 000003
【図２】
2008284184.tif 000004
【図３】
2008284184.tif 000005
【図４】
2008284184.tif 000006
【図５】
2008284184.tif 000007